(57)【要約】【課題】軽い力で回転操作体を所望の位置に保持できて遊技者の疲労を少なくでき、グリップキャップから手を離せば回転操作体がすぐに初期位置に戻って無駄な球が発射されてしまうことを防止する。【解決手段】グリップ本体２と、グリップ本体の前側に取付けられた回転操作体３と、回転操作体への回転操作で戻り力を蓄積するとともに回転操作の解除に伴う戻り力を回転操作体に付与する戻し手段４６と、回転操作体より前側で回転操作体の回転維持形態で前後移動可能にグリップ本体に設けられたグリップキャップ４と、グリップキャップとグリップ本体との間に回転操作体の回転維持形態でグリップキャップに回転操作体から離れるための弾性力を付与するとともにグリップキャップへの前側からの押圧操作で圧縮されてグリップキャップを回転操作体に接触させ回転操作体の戻し手段による回転運動を規制する弾性体４４とを備えた。【選択図】        図１
2004337525.tif 000002
【特許請求の範囲】
【請求項１】
遊技機枠より前側に突出する形態で遊技機枠に設けられたグリップ本体と、グリップ本体より前側で回転可能にグリップ本体に取付けられた回転操作体と、回転操作体への回転操作で戻り力を蓄積するとともに当該回転操作の解除に伴う戻り力を回転操作体に付与する戻し手段と、回転操作体より前側で回転操作体の回転維持形態で前後移動可能にグリップ本体に設けられたグリップキャップと、グリップキャップとグリップ本体との間に回転操作体の回転維持形態でグリップキャップに回転操作体から離れるための弾性力を付与するとともにグリップキャップへの前側からの押圧操作で圧縮されてグリップキャップを回転操作体に接触させ上記回転操作体の戻し手段による回転運動を規制する弾性体とを備えたことを特徴とするパチンコ機の発射操作装置。
【請求項２】
グリップキャップと回転操作体との接触部位の少なくともいずれか一方に摩擦部材を設けたことを特徴とする請求項１記載のパチンコ機の発射操作装置。
【請求項３】
回転操作体がグリップ本体に固定された回転中心軸に対して軸方向に移動可能に取付けられたことを特徴とする請求項１又は請求項２記載のパチンコ機の発射操作装置。
【請求項４】
回転操作体とグリップ本体との接触部位の少なくともいずれか一方に摩擦部材を設けたことを特徴とする請求項３記載のパチンコ機の発射操作装置。
【請求項５】
グリップキャップとグリップ本体とが取付支柱を備え、これらの取付支柱が互いに前後移動可能な嵌合構造に形成されたことを特徴とする請求項１ないし請求項４のいずれかに記載のパチンコ機の発射操作装置。
【請求項６】
弾性体がグリップキャップの取付支柱とグリップ本体の取付支柱との間に設けられ、グリップキャップとグリップ本体との取付支柱同士が互いに前後移動可能な連結部材で連結されたことを特徴とする請求項１ないし請求項４のいずれかに記載のパチンコ機の発射操作装置。
【請求項７】
弾性体が連結部材を貫通させる筒体により形成されたことを特徴とする請求項６記載のパチンコ機の発射操作装置。
【発明の詳細な説明】
【０００１】
【発明の属する技術分野】
本発明はパチンコ機において球を発射するために人為操作される発射操作装置に関する。
【０００２】
【従来の技術】
従来のパチンコ機の発射操作装置は、遊技球の発射力の増減を操作するための回転操作体を備えている。しかし、この回転操作体には戻しばねによって回転操作体を初期位置に戻そうとする力が付与されているので、遊技者が回転操作体を所望の位置に保持するためには上記戻しばねの力に抗して回転操作体の位置を保持し続けなければならず、遊技者は疲れてしまう。そこで、回転操作体の操作に伴う遊技者の疲労を軽減する構造を備えたものが知られている（例えば、特許文献１、特許文献２参照）。
【０００３】
【特許文献１】
特開２００１−１７６２７号公報
【特許文献２】
特開２００１−６２０５１号公報
【０００４】
【発明が解決しようとする課題】
特許文献１では、回転操作体を所望の位置まで回して手を離せば回転操作体がばねによりグリップキャップ側に押圧されて回転操作体とグリップキャップとの間の摩擦力で回転操作体が所望の位置に保持されるため遊技者の疲労を少なくできるが、遊技球の発射を止めたいときには、人為的に回転操作体をグリップ本体側に押圧し、しかも、戻しばねを備えていないので回転操作体を回して初期位置に戻す必要があるので、初期位置に戻すまでに無駄な球が発射されてしまう可能性がある。
また特許文献２でも、回転操作体を所望の位置まで回転させた後にウレタンゴム等で形成されたグリップキャップを軽く押圧することにより回転操作体とグリップキャップとの間の摩擦力で回転操作体を所望の位置に保持できるので遊技者の疲労を少なくできるが、遊技球の発射を止めたいときには、グリップキャップから手を離してもウレタンゴムで形成されたグリップキャップはすぐには元の状態に復元せず、数秒から数分後の間、回転操作体はグリップキャップとの摩擦力により初期位置に戻らないので、初期位置に戻るまでに無駄な球が発射されてしまう可能性がある。
本発明は、軽い力で回転操作体を所望の位置に保持できて遊技者の疲労を少なくできるとともに、グリップキャップから手を離せば回転操作体がすぐに初期位置に戻って無駄な球が発射されてしまうことを防止できる発射操作装置を提供することを目的とする。
【０００５】
【課題を解決するための手段】
本発明にあっては、遊技機枠より前側に突出する形態で遊技機枠に設けられたグリップ本体と、グリップ本体より前側で回転可能にグリップ本体に取付けられた回転操作体と、回転操作体への回転操作で戻り力を蓄積するとともに当該回転操作の解除に伴う戻り力を回転操作体に付与する戻し手段と、回転操作体より前側で回転操作体の回転維持形態で前後移動可能にグリップ本体に設けられたグリップキャップと、グリップキャップとグリップ本体との間に回転操作体の回転維持形態でグリップキャップに回転操作体から離れるための弾性力を付与するとともにグリップキャップへの前側からの押圧操作で圧縮されてグリップキャップを回転操作体に接触させ上記回転操作体の戻し手段による回転運動を規制する弾性体とを備えたので、グリップキャップと回転操作体との接触により軽い力で回転操作体を所望の位置に保持できて遊技者の疲労を少なくできるとともに、グリップキャップから手を離すことにより戻し手段の力で回転操作体がすぐに初期位置に戻って無駄な球が発射されてしまうことを防止できる。
また、グリップキャップと回転操作体との接触部位の少なくともいずれか一方に摩擦部材を設けたので、グリップキャップと回転操作体との接触による摩擦力を大きくでき、より軽い力で回転操作体を所望の位置に保持できて遊技者の疲労を少なくできる。
また、回転操作体がグリップ本体に固定された回転中心軸に対して軸方向に移動可能に取付けられたので、回転操作体をグリップ本体に押し付けることができ、回転操作体とグリップ本体とを接触させることができるので、さらに軽い力で回転操作体を所望の位置に保持できて遊技者の疲労を少なくできる。
また、回転操作体とグリップ本体との接触部位の少なくともいずれか一方に摩擦部材を設けたので、回転操作体とグリップ本体との接触による摩擦力を大きくでき、さらに軽い力で回転操作体を所望の位置に保持できて遊技者の疲労を少なくできる。
また、グリップキャップとグリップ本体とが取付支柱を備え、これらの取付支柱が互いに前後移動可能な嵌合構造に形成されたので、嵌合構造によりグリップキャップの移動が直線的になり確実かつスムーズになる。
また、弾性体がグリップキャップの取付支柱とグリップ本体の取付支柱との間に設けられ、グリップキャップとグリップ本体との取付支柱同士が互いに前後移動可能な連結部材で連結されたので、連結部材を介してグリップキャップの移動が直線的になり確実かつスムーズになる。
また、弾性体が連結部材を貫通させる筒体により形成されたので、戻しばねによる回転運動を規制する構造と回転操作体を回転維持形態で前後移動可能に保持する構造とを集中配置でき、構造の簡単化が図れる。
【０００６】
【発明の実施の形態】
図１は実施形態によるパチンコ機の発射操作装置の断面図、図２は発射操作装置の分解斜視図、図３は弾性体の作用説明図である。尚、以下、各図において図の左側を「前」として説明する。
発射操作装置１は、大別して、遊技機枠１００より前側に突出する形態で遊技機枠１００に設けられたグリップ本体２とグリップ本体２の前面に設けられた回転操作体３と回転操作体３の前面に設けられたグリップキャップ４とを備えて構成される。
【０００７】
グリップ本体２は遊技機枠１００の前側に突出する筒軸部５とこの筒軸部５の前端に設けられて後述するグリップ本体側取付支柱，ボリューム（可変抵抗器），戻しばね等の部品が収納された皿状の部品収納凹部６と上記筒軸部５に例えばインサート成形等で固定され部品収納凹部６の底部６ａより前側に突出する回転中心軸８とを備える。回転中心軸８は一端８ａが遊技機枠１００に止めねじ９等で固定され前端（他端）８ｂ側には回転操作体３が回転可能に取付けられる支持部１０を備える。
【０００８】
部品収納凹部６の底部６ａには周方向に所定角度を隔てて複数のグリップ本体側取付支柱１１が前方に延長するように設けられ、また、複数のベース取付支柱１２も前方に延長するように設けられている。ベース取付支柱１２には止ねじ１３等で部品取付ベース１４が取付けられ、この部品取付ベース１４にはボリューム１５が取付けられている。部品取付ベース１４には回転中心軸８を挿通させる孔部１６とボリューム１５のボリューム軸１７を挿通させる孔１８が形成されている。ボリューム１５は部品取付ベース１４の裏側から孔１８にボリューム軸１７を挿入してナット部品１９で固定されている。ボリューム１５のボリューム軸１７の先端２０は異形に形成され、この異形先端２０が歯車２１の異形孔２１ａに嵌め込まれることによってボリューム軸１７の先端２０に歯車２１が取付けられている。
【０００９】
回転操作体３は円板形状の回転板２２の周縁の一部に指掛け部２３が形成されて成り、回転板２２の中央に形成された支持孔２４には前側からブッシュ２５の軸受部２６の外周部が嵌め込まれてブッシュ２５はフランジ２７の孔２７ａ及び回転板２２のねじ孔２７ｂを介して止めねじ２８で回転板２２の前面２９に取付けられている。ブッシュ２５の軸受部２６の軸受孔３０内に回転中心軸８の支持部１０が挿入され、支持部１０の先端８ｂ側には止輪３１が取付けられて回転操作体３の抜け止めが施されている。回転板２２の裏面３２の支持孔２４周りには歯車３３が回転操作体３と一緒に回転するよう歯車３３の孔３２ａ及び回転板２２の図外のねじ孔を介して止めねじ３２ｂで回転板２２の裏面３２に取付けられている。回転板２２には回転中心軸８を中心とする円弧状の複数の逃孔３４が形成されている。後述する弾性体が上記逃孔３４内に取込まれることによって回転操作体３が回転中心軸８の支持部１０を中心として回転可能となる。
【００１０】
グリップキャップ４の裏側にはグリップ本体側取付支柱１１に対応するグリップキャップ側取付支柱３５が設けられている。グリップ本体側取付支柱１１には部品収納凹部６の底部６ａの裏面６ｂ側から前端に向けて延長する中空孔３６が形成され、前端の壁３７には部品収納凹部６の底部６ａの裏面６ｂ側から中空孔３６に挿入される連結部材としての連結ねじ３８が貫通する孔３９が形成されており、壁３７の裏面４０にねじ頭４１が係止される。グリップキャップ側取付支柱３５の後端には雌ねじ部４２が形成されており、この雌ねじ部４２に連結ねじ３８の雄ねじ部４３がねじ結合される。
【００１１】
しかして、逃孔３４を介して取付支柱１１，３５間に弾性体としてのゴム筒体４４を挟み込み、回転操作体３と一緒に回転する歯車３３とボリューム軸１７の先端２０に取付けられた歯車２１とを噛み合せた状態にした後に、部品収納凹部６の底部６ａの裏面６ｂ側からグリップ本体側取付支柱１１の中空孔３６に連結ねじ３８を挿入してゴム筒体４４の筒孔４５内を貫通させグリップキャップ側取付支柱３５の雌ねじ部４２にねじ結合することにより取付支柱１１，３５間にゴム筒体４４が挿入された状態で取付支柱１１，３５が互いに連結ねじ３８で連結され、回転操作体３が回転可能な態様（回転維持形態）でグリップキャップ４がグリップ本体２に取付けられる。すなわち、回転操作体３が逃孔３４によりゴム筒体４４をよけながら回転することにより歯車３３が歯車２１と噛み合って回転してボリューム軸１７が回転し、その回転量に応じてボリューム１５の抵抗値が変化することによって、回転操作体３の回転動作量に対応する電圧が図外の発射制御装置に出力され、これにより図外の発射機構装置のソレノイドやモータ等のアクチュエータに回転操作体３の操作量に応じた強さで球を発射させる。尚、図１に示すように、筒軸部５及び遊技機枠１００にはボリューム１５からの配線を発射制御装置に導くための配線孔７ａ，７ｂが形成されている。
【００１２】
ボリューム１５のボリューム軸１７に取付けられた歯車２１と部品取付ベース１４との間にはボリューム軸１７を囲むように戻し手段としての戻しスプリングコイルばね４６が設けられ、戻しスプリングコイルばね４６の一端は歯車２１に、他端は部品取付ベース１４に取付けられ、この戻しスプリングコイルばね４６により回転操作体３に戻し方向の力が付与されるので、回転操作体３を回転操作した後に手を離すと戻しスプリングコイルばね４６に蓄えられた力により回転操作体３が回転して初期位置に戻る。
【００１３】
グリップキャップ４の円形後縁面４８には摩擦部材５０が、部品収納凹部６の円形前縁面４７には摩擦部材５１が取付けられており、さらに、回転操作体３の回転板２２の周部で上記各摩擦部材５０，５１と対応する前面２９及び裏面３２にも摩擦部材５２，５３が取付けられている。
【００１４】
グリップキャップ４を前側から手で押圧していない時において、グリップキャップ４の円形後縁面４８に設けられた摩擦部材５０と部品収納凹部６の円形前縁面４７に設けられた摩擦部材５１との間の間隔は、摩擦部材５２，５３を含めた回転操作体３の回転板２２の厚さ幅より広くなっており、したがって、回転操作体３の回転操作時は各摩擦部材５０〜５３間の摩擦力が少ないので、回転操作体３を軽い力で回転させることができる。一方、グリップキャップ４に手をかけて前側から軽く押圧すると、図３（ｂ）に示すように弾性体としてのゴム筒体４４が撓んでグリップキャップ４がグリップ本体２側に移動するとともに回転操作体３が押圧されてグリップ本体２側に移動する。これにより、各摩擦部材５０〜５３が接触しあって各摩擦部材５０〜５３間に作用する摩擦力が大きくなるので、回転操作体３を所望の回転位置において軽い力で固定できる。即ち、戻しスプリングコイルばね４６の戻り力による回転操作体３の回転運動が各摩擦部材５０〜５３間に作用する摩擦力で規制される。よって、各摩擦部材５０〜５３を設けたことにより、回転操作体３を回転操作して所望の位置に固定したいときに軽い力で固定できるようになる。また、回転操作体３から手を離すと図３（ａ）に示すようにゴム筒体４４の復元力でグリップキャップ４と回転操作体３とが離れて各摩擦部材５０〜５３間に作用する摩擦力がなくなるので、回転操作体３は戻しスプリングコイルばね４６による戻り力ですぐに回転して初期位置に戻るので、遊技を終了したいときの無駄球の発射を防止できる。
【００１５】
尚、ブッシュ２５の軸受部２６の外周部が回転中心軸８の支持部１０の軸上をスライドして回転操作体３が支持部１０の軸上を移動できるようになっており、これによりグリップキャップ４を押圧した時に回転操作体３がグリップ本体２側に移動できるように構成されている。具体的には、回転中心軸８には大径部１０ａとこの大径部１０ａより径の小さい小径部である支持部１０とが形成され、ブッシュ２５のフランジ２７を含めた回転操作体３の厚さ寸法が支持部１０に取付けられた止輪３１の後面から大径部１０ａまでの距離より小さくなっているので、回転操作体３が回転中心軸８の軸方向に移動可能となっている。また、図１のように、回転操作体３の回転維持形態において回転中心軸８の大径部１０ａの前端を歯車３３の中央孔３３ａ内に入り込ませて中央孔３３ａを大径部１０ａの軸受孔として作用させているので、回転操作体３の前後移動をスムーズにできる。
【００１６】
以上の構成により、軽い力で回転操作体３を所望の位置に保持できて遊技者の疲労を少なくできるとともに、グリップキャップ４から手を離せば回転操作体３がすぐに初期位置に戻って無駄な球が発射されてしまうことを防止できる発射操作装置が得られる。
【００１７】
また、回転操作体３をグリップ本体２に固定された回転中心軸８に対して軸方向に移動可能に取付けたので、回転操作体３の回転板２２をグリップ本体２に押し付けることができ、回転操作体３とグリップ本体２とを接触させることができるので、軽い力で回転操作体３を所望の位置に保持できて遊技者の疲労を少なくできる。
【００１８】
また、弾性体としてのゴム筒体４４がグリップキャップ側取付支柱３５とグリップ本体側取付支柱１１との間に設けられ、グリップキャップ４とグリップ本体２との取付支柱３５，１１同士を互いに前後移動可能な連結部材としての連結ねじ３８で連結したので、連結ねじ３８を介してグリップキャップ４の移動が直線的になり確実かつスムーズになるので動作信頼性を高くできる。
【００１９】
また、連結ねじ３８はグリップキャップ側取付支柱３５にねじ結合されるので、この連結ねじ３８も含めてグリップキャップ側取付支柱３５が構成されていると見れば、このグリップキャップ側取付支柱３５とグリップ本体側取付支柱１１とが連結ねじ３８とグリップ本体側取付支柱１１の孔３９との嵌合構造により互いに前後移動可能となっている形態であるので、この連結ねじ３８とグリップ本体側取付支柱１１の孔３９との嵌合構造により、グリップキャップ４の移動が直線的になり確実かつスムーズになるので動作信頼性を高くできる。例えば、グリップキャップ側取付支柱３５にグリップ本体側取付支柱１１の孔３９に嵌まり込む軸部を設けておき、この軸部を孔３９に嵌め込んだ後にこの軸部の後端に形成された雌ねじ部にナット部材等を螺着固定してこのナット部材を壁３７の裏面４０に係止させることにより取付支柱３５，１１同士を互いに連結することでグリップキャップ４が前後移動可能となるよう構成してもよい。
【００２０】
尚、摩擦部材はグリップキャップ４の円形後縁面４８あるいは回転操作体３の回転板２２の周部の前面２９のうちの一方だけ、すなわち、摩擦部材５０，５２のいずれかだけ設けてもよい。この構成でも摩擦力が大きくなり、軽い力で回転操作体３を所望の位置に保持できて遊技者の疲労を少なくできるからである。但し、摩擦部材は必ずしも設ける必要はない。摩擦部材を設けなくともグリップキャップ４と回転操作体３との接触による摩擦で回転操作体３の固定に要する力を軽減できるからである。
【００２１】
また、上記では、連結ねじ３８を貫通させる弾性体としてのゴム筒体４４を用いたので、戻しスプリングコイルばね４６による回転運動を規制する構造と回転操作体３を回転維持形態で前後移動可能に保持する構造とを集中配置できるので、構造の簡単化が図れるが、回転操作体３を回転維持形態で前後移動可能に保持する構造と弾性体とを別々の場所に設けてもよい。
【００２２】
また、上記では、図３（ａ）に示すように、通常状態（力が加わっていない状態）において、中央部分４４ａが両端４４ｂ，４４ｂ側より外方に膨らんだ形状（樽のような形状）のゴム筒体４４を設けたので、ゴム筒体４４の圧縮動作が確実になり好ましい。
【００２３】
また、回転操作体３は回転操作可能（回転維持状態）で回転中心軸８に取付けられていればよく、必ずしも回転中心軸８に前後移動可能に取付けられていなくてもよい。この場合でも、グリップキャップ４を押圧してグリップキャップ４を回転操作体３の回転板２２に接触させることで軽い力で回転操作体３を所望の位置に保持でき、グリップキャップ４から手を離すことで戻しスプリングコイルばね４６の戻り力により回転操作体３がすぐに初期位置に戻るからである。
【図面の簡単な説明】
【図１】本発明の実施形態によるパチンコ機の発射操作装置の断面図。
【図２】同実施形態の発射操作装置の分解斜視図。
【図３】同実施形態の発射操作装置における弾性体の作用説明図。
【符号の説明】
１  発射操作装置、２  グリップ本体、３  回転操作体、４  グリップキャップ、８  回転中心軸、１１  グリップ本体側取付支柱、
３５  グリップキャップ側取付支柱、３８  連結ねじ（連結部材）、
４４  ゴム筒体（弾性体）、４６  戻しスプリングコイルばね（戻し手段）、
５０，５１，５２，５３  摩擦部材。
【図１】
2004337525.tif 000003
【図２】
2004337525.tif 000004
【図３】
2004337525.tif 000005